(57)【要約】      （修正有）【課題】電線の先端に挿入されたスリーブを圧縮する作業を行う際の作業性を向上させる間接活線工具を提供する。【解決手段】圧縮ペンチ１は、一端に一対の把持アーム１０１Ａ、１０１Ｂを有するとともに他端に一対の把持アームを開閉するための操作ハンドルを有する絶縁操作棒１００に装着される間接活線工具であって、スリーブを圧縮する圧縮ヘッド１０と、圧縮ヘッドから延在して一対の把持アームに装着され、圧縮ヘッドを閉じる際に一対の把持アームを閉じることに伴って閉じる一対の圧縮アーム２０と、圧縮ヘッドの閉じる動作を許可し、圧縮ヘッドの開く動作を禁止する第１開閉機構３０と、一対の把持アームのうち一方の把持アームと、一対の圧縮アームのうち一方の圧縮アームと、の間に介在し、一対の把持アームを閉じることに伴って一対の圧縮アームを閉じ、一対の圧縮アームを開かずに一対の把持アームを開く第２開閉機構４０と、を備える。【選択図】図２Ａ
2019161761.tif 000002
【特許請求の範囲】
【請求項１】
一端に一対の把持アームを有するとともに他端に前記一対の把持アームを開閉するための操作ハンドルを有する絶縁操作棒に装着される間接活線工具であって、
スリーブを圧縮する圧縮ヘッドと、
前記圧縮ヘッドから延在して前記一対の把持アームに装着され、前記圧縮ヘッドを閉じる際に前記一対の把持アームを閉じることに伴って閉じる一対の圧縮アームと、
前記圧縮ヘッドの閉じる動作を許可し、前記圧縮ヘッドの開く動作を禁止する第１開閉機構と、
前記一対の把持アームのうち一方の把持アームと、前記一対の圧縮アームのうち一方の圧縮アームと、の間に介在し、前記一対の把持アームを閉じることに伴って前記一対の圧縮アームを閉じ、前記一対の圧縮アームを開かずに前記一対の把持アームを開く第２開閉機構と、
を備えたことを特徴とする間接活線工具。
【請求項２】
前記第１開閉機構は、前記圧縮ヘッドが前記スリーブの圧縮を完了すると、前記圧縮ヘッドの開く動作を許可し、
前記第２開閉機構は、前記第１開閉機構が前記圧縮ヘッドの開く動作を許可することに伴って、前記一対の把持アームの開閉に関わらず前記一対の圧縮アームの開く動作を許可する
ことを特徴とする請求項１に記載の間接活線工具。
【請求項３】
前記第１開閉機構は、
複数の噛合歯を有し、前記圧縮ヘッドを開閉するために回転する歯車と、
前記圧縮ヘッドを開く方向に前記歯車を弾性付勢する弾性部材と、
前記弾性部材の弾性力に抗して前記複数の噛合歯に順次係止する噛合歯止めと、
前記圧縮ヘッドが前記スリーブの圧縮を完了すると、前記複数の噛合歯に対する前記噛合歯止めの係止を解除する第１解除部材と、
を有することを特徴とする請求項２に記載の間接活線工具。
【請求項４】
前記第２開閉機構は、
長手方向に複数の鋸歯を有する長尺部材と、
前記一対の把持アーム及び前記一対の圧縮アームがともに閉じるように前記複数の鋸歯に選択的に係止する鋸歯止めと、
前記第１解除部材が前記複数の噛合歯に対する前記噛合歯止めの係止を解除することに伴って、前記複数の鋸歯に対する前記鋸歯止めの係止を解除する第２解除部材と、
を有することを特徴とする請求項３に記載の間接活線工具。
【発明の詳細な説明】
【技術分野】
【０００１】
本発明は、間接活線工具に関する。
【背景技術】
【０００２】
電線（例えば、高圧引下線）の先端に挿入されたスリーブを圧縮する間接活線工具として、絶縁操作棒の先端に圧縮ペンチを装着する工具が知られている（例えば、特許文献１を参照）。
【先行技術文献】
【特許文献】
【０００３】
【特許文献１】特開２０１６−８２７１７号公報
【発明の概要】
【発明が解決しようとする課題】
【０００４】
一般に、電線の先端に挿入されたスリーブを圧縮する場合、一人の作業者が２本の絶縁操作棒を両手に持ってスリーブの両側の電線を把持し、もう一人の作業者が圧縮ペンチが先端に装着された１本の絶縁操作棒及びバインド打ち器が先端に装着された１本の絶縁操作棒を両手に持ってスリーブを圧縮する作業を行っている。
【０００５】
しかし、スリーブを圧縮する作業現場に合計４本の絶縁操作棒が混在するため、４本の絶縁操作棒同士が干渉してしまい、作業性が低下する虞がある。又、作業者が圧縮ペンチが装着された１本の絶縁操作棒を片手に持って操作するため、この点においても作業性が低下する虞がある。
【０００６】
そこで、本発明は、電線の先端に挿入されたスリーブを圧縮する作業を行う際の作業性を向上させる間接活線工具を提供することを目的とする。
【課題を解決するための手段】
【０００７】
前述した課題を解決する主たる本発明は、一端に一対の把持アームを有するとともに他端に前記一対の把持アームを開閉するための操作ハンドルを有する絶縁操作棒に装着される間接活線工具であって、スリーブを圧縮する圧縮ヘッドと、前記圧縮ヘッドから延在して前記一対の把持アームに装着され、前記圧縮ヘッドを閉じる際に前記一対の把持アームを閉じることに伴って閉じる一対の圧縮アームと、前記圧縮ヘッドの閉じる動作を許可し、前記圧縮ヘッドの開く動作を禁止する第１開閉機構と、前記一対の把持アームのうち一方の把持アームと、前記一対の圧縮アームのうち一方の圧縮アームと、の間に介在し、前記一対の把持アームを閉じることに伴って前記一対の圧縮アームを閉じ、前記一対の圧縮アームを開かずに前記一対の把持アームを開く第２開閉機構と、を備える。
【０００８】
本発明の他の特徴については、添付図面及び本明細書の記載により明らかとなる。
【発明の効果】
【０００９】
本発明によれば、電線の先端に挿入されたスリーブを圧縮する作業を行う際の作業性を向上させることが可能となる。
【図面の簡単な説明】
【００１０】
【図１】本実施形態に係る間接活線工具に用いられる絶縁操作棒を示す図である。
【図２Ａ】本実施形態に係る間接活線工具に用いられる圧縮ペンチの第１状態を示す図である。
【図２Ｂ】本実施形態に係る間接活線工具に用いられる圧縮ペンチの第２状態を示す図である。
【発明を実施するための形態】
【００１１】
本明細書および添付図面の記載により、少なくとも以下の事項が明らかとなる。
【００１２】
＝＝＝絶縁操作棒＝＝＝
図１は、本実施形態に係る間接活線工具に用いられる絶縁操作棒の一例を示す図である。
【００１３】
絶縁操作棒１００は、電線に係る間接活線作業を行う際に用いられる長尺形状を呈する工具であって、一対の把持アーム１０１、操作ハンドル１０２、連結棒１０３を含んで構成される。
【００１４】
一対の把持アーム１０１は、対象物を把持することができるように、湾曲形状を呈する固定アーム１０１Ａ及び可動アーム１０１Ｂを有する。可動アーム１０１Ｂは、作業者がハンドル１０２を握る方向に操作しない限り、固定アーム１０１Ａから遠ざかる方向（一対の把持アーム１０１が開く方向）に付勢されている。そして、可動アーム１０１Ｂは、作業者がハンドル１０２を握る方向に操作すると、連結棒１０３を通して固定アーム１０１Ａに近づく方向（一対の把持アーム１０１が閉じる方向）に回動する。
【００１５】
＝＝＝圧縮ペンチ＝＝＝
図２Ａは、本実施形態に係る間接活線工具に用いられる圧縮ペンチの第１状態を示す図である。図２Ｂは、本実施形態に係る間接活線工具に用いられる圧縮ペンチの第２状態を示す図である。尚、第１状態とは、後述する第１開閉機構において噛合歯止めが噛合歯に係止する状態と、後述する第２開閉機構において鋸歯が鋸歯止めに係止する状態と、を指している。又、第２状態とは、後述する第１開閉機構において噛合歯止めが噛合歯に係止しない状態と、後述する第２開閉機構において鋸歯が鋸歯止めに係止しない状態と、を指している。
【００１６】
圧縮ペンチ１は、電線（例えば、高圧引下線）の先端に挿入されたスリーブを圧縮するための工具であって、絶縁操作棒１００の操作ハンドル１０２とは反対側の先端に設けられた一対の把持アーム１０１に装着される。
【００１７】
圧縮ペンチ１は、圧縮ヘッド１０、一対の圧縮アーム２０、第１開閉機構３０、第２開閉機構４０、固定金具５０，６０を含んで構成される。
【００１８】
圧縮ヘッド１０は、電線の先端に挿入されたスリーブを挟持しながら圧縮するヘッドである。圧縮ヘッド１０は、電線の先端に挿入されたスリーブを挟持することができるように、固定アーム１０Ａ及び可動アーム１０Ｂを有する。
【００１９】
一対の圧縮アーム２０は、圧縮ヘッド１０を開閉することができるように、固定アーム２０Ａ及び可動アーム２０Ｂを有する。固定アーム２０Ａは、固定アーム１０Ａから延在して固定アーム１０Ａと一体的に形成される。可動アーム２０Ｂは、可動アーム１０Ｂから延在して可動アーム１０Ｂと一体的に形成される。固定アーム１０Ａ，２０Ａの境界部と可動アーム１０Ｂ，２０Ｂの境界部とは同軸に結合される。従って、可動アーム２０Ｂが固定アーム２０Ａに近づく方向（一対の圧縮アーム２０が閉じる方向）に回動すると、可動アーム１０Ｂも固定アーム１０Ａに近づく方向（圧縮ヘッド１０が閉じる方向）に回動し、可動アーム２０Ｂが固定アーム２０Ａから遠ざかる方向（一対の圧縮アーム２０が開く方向）に回動すると、可動アーム１０Ｂも固定アーム１０Ａから遠ざかる方向（圧縮ヘッド１０が開く方向）に回動する。
【００２０】
第１開閉機構３０は、可動アーム１０Ｂが固定アーム１０Ａに近づく方向に一定量回動するまで（圧縮ヘッド１０が一定量閉じるまで）、可動アーム１０Ｂが固定アーム１０Ａに近づく方向（圧縮ヘッド１０が閉じる方向）に回動する動作を許可しつつ、可動アーム１０Ｂが固定アーム１０Ａから遠ざかる方向（圧縮ヘッド１０が開く方向）に回動する動作を禁止する。更に、第１開閉機構３０は、可動アーム１０Ｂが固定アーム１０Ａに近づく方向に一定量回動すると（圧縮ヘッド１０が一定量閉じると）、可動アーム１０Ｂが固定アーム１０Ａから遠ざかる方向（圧縮ヘッド１０が開く方向）に回動する動作を許可する。第１開閉機構３０は、上記の動作を実現するために、固定アーム１０Ａ，２０Ａの境界部及び可動アーム１０Ｂ，２０Ｂの境界部と同軸に結合される。尚、第１開閉機構３０の具体例については後述する。
【００２１】
第２開閉機構４０は、可動アーム１０Ｂが固定アーム１０Ａに近づく方向に一定量回動するまで（圧縮ヘッド１０が一定量閉じるまで）、可動アーム１０１Ｂが固定アーム１０１Ａに近づく方向（一対の把持アーム１０１が閉じる方向）に回動することに伴って、可動アーム２０Ｂが固定アーム２０Ａに近づく方向（一対の圧縮アーム２０が閉じる方向）に回動し、一方、可動アーム２０Ｂが固定アーム２０Ａから遠ざかる方向（一対の圧縮アーム２０が開く方向）に回動せずに可動アーム１０１Ｂが固定アーム１０１Ａから遠ざかる方向（一対の把持アーム１０１が開く方向）に回動するように動作する。更に、第２開閉機構４０は、可動アーム１０Ｂが固定アーム１０Ａに近づく方向に一定量回動すると（圧縮ヘッド１０が一定量閉じると）、第１開閉機構３０が可動アーム１０Ｂが固定アーム１０Ａから遠ざかる方向（圧縮ヘッド１０が開く方向）に回動する動作を許可することに伴って、可動アーム１０１Ｂの回動に関わらず（一対の把持アーム１０１の開閉に関わらず）、可動アーム２０Ｂが固定アーム２０Ａから遠ざかる方向（一対の圧縮アーム２０が開く方向）に回動する動作を許可する。第２開閉機構４０は、上記の動作を実現するために、可動アーム２０Ｂと可動アーム１０１Ｂとの間に装着される。尚、第２開閉機構４０の具体例については後述する。
【００２２】
固定金具５０は、固定アーム１０１Ａの先端に固定アーム２０Ａの先端を固定するための金具である。
【００２３】
固定金具６０は、可動アーム１０１Ｂの先端に第２開閉機構４０の先端を固定するための金具である。
【００２４】
＝＝＝第１開閉機構＝＝＝
第１開閉機構３０は、上記の動作を実現するための構成として、例えば、歯車３０１、コイルバネ（弾性部材）３０２、噛合歯止め３０３、解除棒（第１解除部材）３０４を有する。
【００２５】
歯車３０１は、固定アーム１０Ａ，２０Ａの境界部及び可動アーム１０Ｂ，２０Ｂの境界部と同軸に結合される円板である。歯車３０１の周面には、複数の噛合歯３０１１が等間隔に突設されている。複数の噛合歯３０１１は、それぞれ、可動アーム１０Ｂが固定アーム１０Ａから遠ざかる方向になびくように突設されている。例えば、可動アーム１０Ｂが反時計方向に回動することによって、可動アーム１０Ｂが固定アーム１０Ａから遠ざかる場合、複数の噛合歯３０１１は、それぞれ、反時計方向に向かって斜めに突設されている。
【００２６】
コイルバネ３０２は、可動アーム１０Ｂが固定アーム１０Ａから遠ざかる方向に弾性付勢されるように、バネ本体が歯車３０１と同軸に巻回され、バネ本体の両端がそれぞれ歯車３０１の片側の面と歯車３０１を設置する部材（不図示）とに固定される。例えば、歯車３０１がコイルバネ３０２の弾性力に抗して時計方向に回動すると、可動アーム１０Ｂは固定アーム１０Ａに近づく方向に回動し、一方、歯車３０１がコイルバネ３０２の弾性力に従って反時計方向に回動すると、可動アーム１０Ｂは固定アーム１０Ａから遠ざかる方向に回動する。
【００２７】
噛合歯止め３０３は、可動アーム１０Ｂが固定アーム１０Ａに近づくように歯車３０１がコイルバネ３０２の弾性力に抗して回動しているときに、複数の噛合歯３０１１に順次係止することによって、歯車３０１がコイルバネ３０２の弾性力を受けて反対方向に回動する動作を禁止する。噛合歯止め３０３は、複数の噛合歯３０１１に対して弾性力によって係止する片であって、爪３０３１及びコイルバネ３０３２を有する。爪３０３１は、複数の噛合歯３０１１に係止するように片の一端に形成される。コイルバネ３０３２は、爪３０３１が係止しようとする噛合歯３０１１に向かって弾性付勢されるように、バネ本体が片の他端に形成される回動軸３０３３に巻回され、バネ本体の両端がそれぞれ噛合歯止め３０３の片側の面と噛合歯止め３０３を設置する部材（不図示）とに固定される。これによって、歯車３０１がコイルバネ３０２の弾性力に抗して時計方向に回動すると、噛合歯止め３０３は、噛合歯３０１１の外形に接しながら回動軸３０３３を中心に動揺して噛合歯３０１１に係止する。
【００２８】
解除棒３０４は、可動アーム１０Ｂが固定アーム１０Ａに近づく方向に一定量回動すると、噛合歯３０１１に対する噛合歯止め３０３の係止が解除されるように、歯車３０１の回動に連動するリンクやカム等の機構（不図示）を介して、噛合歯止め３０３をコイルバネ３０３２の弾性力に抗して押圧する。これによって、歯車３０１はコイルバネ３０２の弾性力に従って反時計方向に回動し、可動アーム１０Ｂは固定アーム１０Ａから遠ざかる方向に回動する。
【００２９】
更に、噛合歯止め３０３は、後述する第２開閉機構４０の鋸歯止め４０２との間を連結する連結棒３０３４（第２解除部材）を有する。解除棒３０４が噛合歯止め３０３を押圧することによって、噛合歯止め３０３が歯車３０１から遠ざかる方向に一定量回動すると、連結棒３０３４は、後述する第２開閉機構４０の長尺部材４０１に対する鋸歯止め４０２の係止が解除されるように、鋸歯止め４０２の方向に押し下げられる。
【００３０】
＝＝＝第２開閉機構＝＝＝
第２開閉機構４０は、上記の動作を実現するための構成として、例えば、長尺部材４０１及び鋸歯止め４０２を有する。
【００３１】
長尺部材４０１は、片側の面に長手方向に沿って連続する鋸歯４０１１を有する。長尺部材４０１は、鋸歯４０１１が下側を向くようにして一端が固定金具６０に固定される。
【００３２】
鋸歯止め４０２は、長尺部材４０１を挿通するための挿通孔４０２１を有し、可動アーム２０Ｂの先端に固定される。鋸歯止め４０２における挿通孔４０２１の周りの内周面には、鋸歯４０１１に係止する係止歯４０２２が形成される。係止歯４０２２は、長尺部材４０１の挿通方向への移動を許可し、長尺部材４０１の挿通方向とは反対方向への移動を禁止する形状を呈する。つまり、長尺部材４０１は、鋸歯止め４０２を貫通するように挿通孔４０２１が形成され続けている限り、挿通孔４０２１に一度挿通されてしまうと、挿通孔４０２１から抜けなくなる。
【００３３】
鋸歯止め４０２は、２分割された鋸歯止め片４０２Ａ，４０２Ｂからなり、鋸歯止め片４０２Ａ，４０２Ｂを向かい合わせることによって挿通孔４０２１を形成する。例えば、鋸歯止め片４０２Ａ，４０２Ｂは例えば強磁性体であって、一方の鋸歯止め片はＮ極に着磁され、他方の鋸歯止め片はＳ極に着磁される。鋸歯止め片４０２Ａは可動アーム２０Ｂの先端に固定され、鋸歯止め片４０２Ｂは噛合歯止め３０３との間を連結棒３０３４によって連結される。つまり、鋸歯止め片４０２Ａ，４０２Ｂは、噛合歯止め３０３が歯車３０１から遠ざかる方向に一定量回動するまで、磁力によって結合して挿通孔４０２１を形成する。一方、鋸歯止め片４０２Ａ，４０２Ｂは、噛合歯止め３０３が歯車３０１から遠ざかる方向に一定量回動すると、連結棒３０３４の押下力によって離間して挿通孔４０２１を形成しなくなる。これにより、鋸歯４０１１が係止歯４０２２と係止しなくなるため、長尺部材４０１の挿通方向とは反対方向への移動は許可される。尚、鋸歯止め片４０２Ｂは、第２解除部材の機能の一部を備える。
【００３４】
＝＝＝間接活線工具の作業手順＝＝＝
本実施形態に係る間接活線工具を用いる作業現場として、２本の高圧引下線の先端を接続するために挿入されたスリーブを圧縮する現場を想定する。この場合、一人の作業者が２本の絶縁操作棒を両手に持ってスリーブの両側の電線を把持し、もう一人の作業者が本実施形態に係る１本の間接活線工具を両手に持ってスリーブを圧縮する作業を行うこととなる。以下、本実施形態に係る間接活線工具の作業手順について具体的に説明する。
【００３５】
先ず、絶縁操作棒１００を持ち上げ、固定アーム１０Ａと可動アーム１０Ｂとの間（圧縮ヘッド１０の間に）にスリーブを挟む。
【００３６】
次に、操作ハンドル１０２を握る方向に操作すると、可動アーム１０１Ｂは固定アーム１０１Ａに近づく方向に回動し（一対の把持アーム１０１は閉じる方向に動作し）、可動アーム２０Ｂは長尺部材４０１に引っ張られて固定アーム２０Ａに近づく方向に回動し（一対の圧縮アーム２０は閉じる方向に動作し）、可動アーム１０Ｂは固定アーム１０Ａに近づく方向に回動する（圧縮ヘッド１０は閉じる方向に動作する）。
【００３７】
次に、操作ハンドル１０２から手を放すと、可動アーム１０１Ｂは固定アーム１０１Ａから遠ざかる方向に回動する（一対の把持アーム１０１は開く方向に動作する）。このとき、第１開閉機構３０における噛合歯止め３０３は歯車３０１の噛合歯３０１１に係止しているため、可動アーム１０Ｂ，２０Ｂは、それぞれ、固定アーム１０Ａ，２０Ａから遠ざかる方向に戻らずに、固定アーム１０Ａ，２０Ａに近づく方向に回動した現在の位置に停止する。一方、鋸歯止め片４０２Ａ，４０２Ｂは結合しているため、長尺部材４０１は可動アーム１０１Ｂが固定アーム１０１Ａから遠ざかる方向に回動することに伴って挿通孔４０２１に更に挿通される。
【００３８】
次に、操作ハンドル１０２を握る方向に操作すると、可動アーム１０１Ｂは固定アーム１０１Ａに近づく方向に更に回動し（一対の把持アーム１０１は閉じる方向に更に動作し）、可動アーム２０Ｂは長尺部材４０１に引っ張られて固定アーム２０Ａに近づく方向に更に回動し（一対の圧縮アーム２０は閉じる方向に更に動作し）、可動アーム１０Ｂは固定アーム１０Ａに近づく方向に更に回動する（圧縮ヘッド１０は閉じる方向に更に動作する）。
【００３９】
次に、操作ハンドル１０２から手を放すと、可動アーム１０１Ｂは固定アーム１０１Ａから遠ざかる方向に回動する（一対の把持アーム１０１は開く方向に動作する）。このとき、第１開閉機構３０における噛合歯止め３０３は歯車３０１の噛合歯３０１１に係止しているため、可動アーム１０Ｂ，２０Ｂは、それぞれ、固定アーム１０Ａ，２０Ａから遠ざかる方向に戻らずに、固定アーム１０Ａ，２０Ａに近づく方向に更に回動した現在の位置に停止する。一方、鋸歯止め片４０２Ａ，４０２Ｂは結合しているため、長尺部材４０１は可動アーム１０１Ｂが固定アーム１０１Ａから遠ざかる方向に回動することに伴って挿通孔４０２１に更に挿通される。
【００４０】
尚、操作ハンドル１０２の操作は、スリーブが圧着ヘッド１０によって十分に圧着されるように、可動アーム１０Ｂが固定アーム１０Ａに近づく方向に一定量回動するまで（圧着ヘッド１０が一定量閉じるまで）行われる。
【００４１】
次に、操作ハンドル１０２の操作を繰り返すことに伴って、可動アーム１０Ｂが固定アーム１０Ａに近づく方向に一定量回動すると、噛合歯止め３０３が解除棒３０４に押圧されることによって噛合歯止め３０３が噛合歯３０１１から離れるため、可動アーム１０Ｂ，２０Ｂは、それぞれ、固定アーム１０Ａ，２０Ａから遠ざかる方向に弾性力を受けて回動する。一方、噛合歯止め３０３が噛合歯３０１１から遠ざかる方向に一定量回動すると、鋸歯止め片４０２Ａ，４０２Ｂは連結棒３０３４の押下力を受けて磁力に抗して離間するため、長尺部材４０１は挿通孔４０２１から解放される。そして、可動アーム１０Ｂ，２０Ｂが初期位置に戻ると、噛合歯止め３０３は噛合歯３０１１に係止し、鋸歯止め片４０２Ａ，４０２Ｂは磁力によって結合する。
【００４２】
このように、一人の作業者が２本の絶縁操作棒を両手に持ってスリーブの両側の電線を把持し、もう一人の作業者が１本の間接活線工具を両手に持ってスリーブを圧縮する作業を行うため、スリーブの圧縮に関して安定した作業を行うことが可能となる。
【００４３】
＝＝＝まとめ＝＝＝
以上説明したように、本実施形態に係る間接活線工具は、一端に一対の把持アーム１０１を有するとともに他端に一対の把持アーム１０１を開閉するための操作ハンドル１０２を有する絶縁操作棒１００に装着される構成として、スリーブを圧縮する圧縮ヘッド１０と、圧縮ヘッド１０から延在して一対の把持アーム１０１に装着され、圧縮ヘッド１０を閉じる際に一対の把持アーム１００を閉じることに伴って閉じる一対の圧縮アーム２０と、圧縮ヘッド１０の閉じる動作を許可し、圧縮ヘッド１０の開く動作を禁止する第１開閉機構３０と、一対の把持アーム１０１のうち一方の可動アーム１０１Ｂと、一対の圧縮アーム２０のうち一方の可動アーム２０Ｂと、の間に介在し、一対の把持アーム１０１を閉じることに伴って一対の圧縮アーム２０を閉じ、一対の圧縮アーム２０を開かずに一対の把持アーム１０１を開く第２開閉機構４０と、を備える。
【００４４】
又、本実施形態に係る間接活線工具において、第１開閉機構３０は、圧縮ヘッド１０がスリーブの圧縮を完了すると、圧縮ヘッド１０の開く動作を許可し、第２開閉機構４０は、第１開閉機構３０が圧縮ヘッド１０の開く動作を許可することに伴って、一対の把持アーム１０１の開閉に関わらず一対の圧縮アーム２０の開く動作を許可する。
【００４５】
又、本実施形態に係る間接活線工具において、第１開閉機構３０は、複数の噛合歯３０１１を有し、圧縮ヘッド１０を開閉するために回転する歯車３０１と、圧縮ヘッド１０を開く方向に歯車３０１を弾性付勢するコイルバネ３０２と、コイルバネ３０２の弾性力に抗して複数の噛合歯３０１１に順次係止する噛合歯止め３０３と、圧縮ヘッド１０がスリーブの圧縮を完了すると、複数の噛合歯３０１１に対する噛合歯止め３０３の係止を解除する解除棒３０４と、を有する。
【００４６】
又、本実施形態に係る間接活線工具において、第２開閉機構４０は、長手方向に複数の鋸歯を有する長尺部材４０１と、一対の把持アーム１０１及び一対の圧縮アーム２０がともに閉じるように複数の鋸歯４０１１に選択的に係止する鋸歯止め４０２と、解除棒３０４が複数の噛合歯３０１１に対する噛合歯止め３０３の係止を解除することに伴って、複数の鋸歯４０１１に対する鋸歯止め４０２の係止を解除する連結棒３０３４及び鋸歯止め片４０２Ｂと、を有する。
【００４７】
本実施形態によれば、電線の先端に挿入されたスリーブを圧縮する作業を行う際の作業性を向上させることが可能となる。
【００４８】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。例えば、第１開閉機構３０及び第２開閉機構４０の構成は、それぞれの機能を達成し得るのであれば、本実施形態とは異なる構成であってもよい。
【符号の説明】
【００４９】
１  圧縮ペンチ
１０  圧縮ヘッド
１０Ａ，２０Ａ  固定アーム
１０Ｂ，２０Ｂ  可動アーム
２０  圧縮アーム
３０  第１開閉機構
４０  第２開閉機構
１００  絶縁操作棒
１０１  把持アーム
１０２  操作ハンドル
１０３  連結棒
３０１  歯車
３０２  コイルバネ
３０３  噛合歯止め
３０４  解除棒
３０１１  噛合歯
３０３１  爪
３０３２  コイルバネ
３０３３  回動軸
３０３４  連結棒
４０１  長尺部材
４０２  鋸歯止め
４０２Ａ，４０２Ｂ  鋸歯止め片
４０１１  鋸歯
４０２１  挿通孔
【図１】
2019161761.tif 000003
【図２Ａ】
2019161761.tif 000004
【図２Ｂ】
2019161761.tif 000005